(57)【特許請求の範囲】
【請求項１】
階層付けられたフォルダにファイルを記録しているデータベースから任意のフォルダを選択するフォルダ選択手段と、
前記フォルダ選択手段で選択したフォルダ直下に再生可能ファイルが存在するか否かを検出するフォルダ直下ファイル検出手段と、
前記フォルダ直下ファイル検出手段で当該フォルダ直下には再生可能ファイルが存在しないことを検出したとき、当該フォルダに属している配下のフォルダに再生可能ファイルが存在するか否かを検出する配下フォルダファイル検出手段と、
前記フォルダ直下ファイル検出手段で再生可能ファイルを検出したとき、表示部に通常表示を行う通常表示手段と、
前記フォルダ直下ファイル検出手段で再生可能ファイルを検出せず、前記配下フォルダファイル検出手段で再生可能ファイルを検出したとき、前記通常表示手段で表示する態様を変更した態様で表示する表示方式変更手段と、
前記フォルダ直下ファイル検出手段で再生可能ファイルを検出せず、且つ配下フォルダファイル検出手段で当該フォルダの配下の全てのフォルダで再生可能ファイルを検出しないとき、当該フォルダを非表示とする非表示フォルダ選択手段とを備えたことを特徴とするオーディオ装置。
【請求項２】
通常表示手段、及び前記表示方式変更手段で表示することになったフォルダを、各フォルダの階層にしたがった位置に表示を行う表示調整手段を備えたことを特徴とする請求項１記載のオーディオ装置。
【請求項３】
前記表示調整手段では、前記非表示フォルダ選択手段で非表示としたフォルダの表示部分に、次に表示することになったフォルダを順に詰めて表示する処理も行うことを特徴とする請求項２に記載のオーディオ装置。
【請求項４】
前記表示方式変更手段で表示するフォルダは、通常表示手段で表示するフォルダよりも薄く表示することを特徴とする請求項１〜３のいずれかに記載のオーディオ装置。
【発明の詳細な説明】
【技術分野】
【０００１】
本発明は各種データベースに記録されているオーディオデータを、フォルダ毎に並べて表示するに際して、各フォルダに記録されているファイルに応じてわかりやすく表示する、オーディオ装置に関する。
【背景技術】
【０００２】
データベースに記録されている多数のファイルをわかりやすく表示する手法として、同類の複数のファイルを１つのフォルダにまとめ、更に同類のフォルダを集めて上位のフォルダにまとめる、という手法が広く用いられている。したがって、このデータベースに記録されているファイルを利用する際は、最上位のフォルダから順に下位のフォルダを選択し、最終的に必要とするファイルを捜し出して利用することが出来る。但し、このようなデータベースのフォルダは、現在データベースに存在するファイルを体系づけるだけでなく、今後このデータベースに記録されることになると推測される分野について、予めフォルダを作成して準備しておき、以降その分野のデータが入力される際には、直ちにそのフォルダに入れて、直ちにそのフォルダを利用することが可能となる。
【０００３】
上記のようなフォルダ構成の例を図５に示している。図５に示す例はオーディオ装置において、メモリやハードディスク等のデータベースに各種の楽曲のファイルをｍｐ３またはｗｍａ形式で保存しているときの、フォルダの階層構造を例示している。同図に示す例においては、最上位のフォルダとして「ＲＯＯＴ」が存在し、このフォルダ自体、即ちこのフォルダ直下に「ＡＡＡ．ｍｐ３」と「ＢＢＢ．ｍｐ３」ファイルが存在することを示している。
【０００４】
この「ＲＯＯＴ」のフォルダに属する下位のフォルダとして、即ちこのフォルダの配下のフォルダとして「Ｆｏｌｄｅｒ  Ａ」と「Ｆｏｌｄｅｒ  Ｂ」が存在し、「Ｆｏｌｄｅｒ  Ａ」には文書ファイルとしての「ＷＡＲＤ．ｄｏｃ」が存在するが、このオーディオ装置で再生することができる楽曲のファイル、即ち再生可能ファイルが存在しないことを示している。それに対して「Ｆｏｌｄｅｒ  Ｂ」にはその配下に「Ｆｏｌｄｅｒ  Ｃ」と「Ｆｏｌｄｅｒ  Ｅ」のフォルダが存在している。但し、「Ｆｏｌｄｅｒ  Ｃ」の直下には楽曲が存在せず、「Ｆｏｌｄｅｒ  Ｅ」の直下には「ＦＦＦ．ｍｐ３」と「ＧＧＧ．ｍｐ３」の楽曲が存在している。
【０００５】
また、「Ｆｏｌｄｅｒ  Ｃ」の直下には楽曲が存在しないものの、このフォルダの配下の「Ｆｏｌｄｅｒ  Ｄ」には、「ＣＣＣ．ｍｐ３」と「ＤＤＤ．ｍｐ３」と「ＥＥＥ．ｗｍａ」の、２つのｍｐ３形式のオーディオファイルである楽曲と、１つのｗｍａ形式のオーディオファイルである楽曲の、合計３個の楽曲が存在している。更に「Ｆｏｌｄｅｒ  Ｅ」には、前記のようにその直下に２個の楽曲が存在すると共に、そのフォルダの配下に「Ｆｏｌｄｅｒ  Ｆ」と「Ｆｏｌｄｅｒ  Ｇ」のフォルダが存在し、「Ｆｏｌｄｅｒ  Ｆ」の直下には楽曲は存在せず、「Ｆｏｌｄｅｒ  Ｇ」には「ＨＨＨ．ｍｐ３」と「ＩＩＩ．ｍｐ３」の２個の楽曲が存在する例を示している。
【０００６】
図５に示すフォルダ構成の時、この楽曲データが記録されているデータベースが車両用オーディオ装置であるとき、表示領域は極めて限られているため、フォルダ階層を詳細に表示することができず、例えば図６（ａ）に示すように全く階層構造を示すことなく、全て並列に表示しているのが実情である。即ち、図６（ａ）の例では、車載オーディオ装置の表示部において、フォルダを６個表示可能とし、ここに全てのフォルダを階層表示無しに「ＲＯＯＴ」「Ｆｏｌｄｅｒ  Ａ」・・・「Ｆｏｌｄｅｒ  Ｅ」を表示し、図示の例ではそのフォルダに含まれる楽曲数を２、０、０、０、３、２と順に表示している。
【０００７】
車載オーディオ装置においてはこのように表示面積が狭い中で、このオーディオ装置の利用者が運転者であるとき、その表示が運転に支障がないように一見できる程度の表示を行わなければならず、したがって図６（ａ）のような並列表示にならざるをえなかった。但し、これらのフォルダの表示に際して、どうしても階層構造がわかるように表示するためには、例えば図６（ｂ）に示すように、前記図５の構造に基づきフォルダをずらして表示することも考えられる。また、更に階層をわかりやすく表示するには同図に示しているように階層を示すツリー構造も表示することが考えられる。この手法はパソコンのフォルダ階層表示として周知の手法である。
【０００８】
なお、再生リスト管理テーブルに基づき、記録媒体内にある各フォルダについて、異なる階層のフォルダに関する情報も互いに階層によらず相互に同列の形式でリスト表示する技術は特許文献１に開示され、また、記憶媒体に含まれる複数のフォルダがなす階層構造を解析し、階層構造の情報及び複数のフォルダがそれぞれ格納する格納データの情報を含む構造情報を作成し、対象データを格納しない未格納フォルダを識別可能にして、構造情報を表示する技術は特許文献２に開示されている。
【先行技術文献】
【特許文献】
【０００９】
【特許文献１】特開２００４−０３０１１６号公報
【特許文献２】特開２００７−２５００３６号公報
【発明の概要】
【発明が解決しようとする課題】
【００１０】
前記のようにデータベースに含まれているフォルダを表示するには、図６に示すような特に車両用オーディオ装置の表示部のように狭い範囲の表示部において、運転者でも一見してわかるように、同図（ａ）に示すように階層構造は表示しない方式を採用することが多い。また、階層構造を表示する必要があるときには、同図（ｂ）に示すように、従来のパソコンで表示しているフォルダの階層構造表示手法を採用することも考えられる。
【００１１】
しかしながら、この表示方法では、単にフォルダの階層構造を全てそのまま表示しているため、そのフォルダの直下にはファイル、即ち楽曲が何も存在しないフォルダも表示され、例えば図６（ｂ）の例では「Ｆｏｌｄｅｒ  Ａ」の直下、及び配下のフォルダにも全く楽曲が存在しないにも関わらず通常表示され、利用者は現在聴きたい曲を探そうとしているときにこのような無用のフォルダが通常通りに表示されることは、特に狭い範囲の表示部を備えた機器では極めて不適切な表示といわざるを得ない。このことは図６（ｂ）には表示されていないが、図５からも明らかなように「Ｆｏｌｄｅｒ  Ｆ」についても、図６（ｂ）の状態からスクロールしていくと通常表示されることとなる。
【００１２】
また、図６（ｂ）の例において「Ｆｏｌｄｅｒ  Ｂ」及び「Ｆｏｌｄｅｒ  Ｆ」についてはそのフォルダ直下には楽曲は存在せず、「Ｆｏｌｄｅｒ  Ｂ」についてみると、そのフォルダの配下のフォルダである「Ｆｏｌｄｅｒ  Ｃ」の更にその配下のフォルダである「Ｆｏｌｄｅｒ  Ｄ」に楽曲が存在するとともに、「Ｆｏｌｄｅｒ  Ｂ」の配下のフォルダである「Ｆｏｌｄｅｒ  Ｅ」に楽曲が存在するにすぎない。
【００１３】
したがって、このように自身のフォルダ直下には楽曲が存在せず、配下のフォルダに楽曲が存在する場合は、利用者にとってはフォルダの階層構成を理解するためには有効なものの、例えば車載オーディオ装置においてこれを使用するとき、あくまでも所望の楽曲を探せばよいのであって、その楽曲が存在するフォルダの階層構造を知ることは必ずしも必要ではない。但し、前記のように自分のフォルダ直下にファイルが存在せず、且つ配下のフォルダにも存在しない場合よりは、階層構造を知りたくなる可能性は高い。
【００１４】
そのため、このようなフォルダについても表示部には表示することとし、但し利用者がどうしても知りたいとき、例えば車載オーディオ装置の場合は利用者が車を止めてゆっくり見ればわかる程度の表示をしておくことが望まれる。このような必要性は車載オーディオ装置の例に限らず、一般家庭用のオーディオ装置においても同様であり、また、例えば携帯情報端末や携帯電話等でも、特に表示部が小さな装置では、これをオーディオ装置として使用するときには同様の必要性が存在する。
【００１５】
したがって本発明は、データベースに記録されている多数のファイルをフォルダに体系づけて管理しているとき、そのフォルダを表示するに際して狭い表示部でも一見してわかりやすく、且つ必要最小限の詳しさの階層構造を表示することができるようにしたオーディオ装置を提供することを主たる目的とする。
【課題を解決するための手段】
【００１６】
本発明に係るオーディオ装置は、前記課題を解決するため、階層付けられたフォルダにファイルを記録しているデータベースから任意のフォルダを選択するフォルダ選択手段と、
前記フォルダ選択手段で選択したフォルダ直下に再生可能ファイルが存在するか否かを検出するフォルダ直下ファイル検出手段と、
前記フォルダ直下ファイル検出手段で当該フォルダ直下には再生可能ファイルが存在しないことを検出したとき、当該フォルダに属している配下のフォルダに再生可能ファイルが存在するか否かを検出する配下フォルダファイル検出手段と、
前記フォルダ直下ファイル検出手段で再生可能ファイルを検出したとき、表示部に通常表示を行う通常表示手段と、
前記フォルダ直下ファイル検出手段で再生可能ファイルを検出せず、前記配下フォルダファイル検出手段で再生可能ファイルを検出したとき、前記通常表示手段で表示する態様を変更した態様で表示する表示方式変更手段と、
前記フォルダ直下ファイル検出手段で再生可能ファイルを検出せず、且つ配下フォルダファイル検出手段で当該フォルダの配下の全てのフォルダで再生可能ファイルを検出しないとき、当該フォルダを非表示とする非表示フォルダ選択手段とを備えたことを特徴とする。 
【００１７】
また、本発明に係る他のオーディオ装置は、通常表示手段、及び前記表示方式変更手段で表示することになったフォルダを、各フォルダの階層にしたがった位置に表示を行う表示調整手段を備えたことを特徴とする。
【００１８】
また、本発明に係る他のオーディオ装置は、前記オーディオ装置において、前記表示調整手段では、前記非表示フォルダ選択手段で非表示としたフォルダの表示部分に、次に表示することになったフォルダを順に詰めて表示する処理も行うことを特徴とする。
【００１９】
また、本発明に係る他のオーディオ装置は、前記オーディオ装置において、前記表示方式変更手段で表示するフォルダは、通常表示手段で表示するフォルダよりも薄く表示することを特徴とする。
【発明の効果】
【００２０】
本発明は上記のように構成したので、データベースに記録されている多数のファイルをフォルダに体系づけて管理しているとき、そのフォルダを表示するに際して狭い表示部でも一見してわかりやすく、しかも必要最小限の詳しさの階層構造を表示することができるようになる。
【図面の簡単な説明】
【００２１】
【図１】本発明の実施例の機能ブロック図である。
【図２】同実施例の作動フロー図である。
【図３】本発明による処理状態を示す図である。
【図４】同処理結果による実際の表示例を示す図である。
【図５】フォルダ構成の例を示す図である。
【図６】従来技術によりフォルダを表示する例を示す図である。
【発明を実施するための形態】
【実施例】
【００２２】
本発明の実施例を図面に沿って説明する。図１は本発明を実施する機能ブロック図であり、特にフォルダの表示処理を行う機能部分を中心に示している。図１に示すフォルダ表示処理部１０においては、データを記録しているファイルとして、例えばｍｐ３形式の多数の楽曲であるとき、これを記録したデータベース２０のファイルの中から利用者が好みの楽曲を探すため、表示部２１に各楽曲が含まれているフォルダを表示するときに、フォルダ選択部１１がデータベース２０からフォルダの階層にしたがって順にフォルダを選択して取り込む。なお、ここで使用するデータベース２０は、例えばオーディオ装置内部のメモリ、ＵＳＢメモリ等の外付けメモリ、ＣＤ、ＤＶＤ、ハードディスク等、種々のものを用いることができる。
【００２３】
また、このフォルダ選択部１１においては、表示部２１にフォルダが表示されているとき、利用者が更にこの表示部に表示されていない部分を表示させるため、スクロール操作を行ったときには、スクロール方向にしたがって、順に表示すべき次のフォルダを選択することとなる。
【００２４】
図１の例においてはフォルダ直下ファイル検出部１２を備え、前記のようにフォルダ選択部１１で選択したフォルダについて、そのフォルダ自身、即ちそのフォルダの直下に存在するこのオーディオ装置で再生可能なファイルを検出する。それにより例えば図６の例では「ＲＯＯＴ」のフォルダには２個のファイルが存在するとともに、そのファイルはｍｐ３形式のオーディオファイルであることにより、２個の再生可能ファイルが存在することを検出する。また、「Ｆｏｌｄｅｒ  Ａ」にはＷＡＲＤ．ｄｏｃの文書ファイルが存在するが、このーディオ装置内で再生可能としているオーディオファイルではないため、再生可能ファイルは０個、即ち存在しないことを検出する。以下のフォルダについても同様な検出がなされる。但し、ここで検出する再生可能ファイルは最低限そのフォルダ直下に再生可能ファイルが存在するか否かを検出すれば足りるが、表示部２１に各フォルダに含まれる楽曲数等の再生可能ファイル数を表示するときにこのデータを利用することができる。
【００２５】
配下フォルダ検出部１３においては、前記フォルダ直下ファイル検出部１２で再生可能ファイルが存在しないことを検出したとき、その信号により選択されているフォルダについて、そのフォルダに属する下位のフォルダ、即ちこのフォルダの配下のフォルダが存在するか否かを検出している。この時にはフォルダ選択部１１により、データベース２０にアクセスして検出を行う。
【００２６】
なお、配下フォルダ検出部１３では、少なくとも前記のようにフォルダ直下ファイル検出部１２でそのフォルダの直下には再生可能ファイルが存在しないことを検出したときに、そのフォルダの配下にフォルダが存在するか否かを検出すれば足りるが、フォルダ選択部１１でフォルダを選択したとき、前記フォルダ直下ファイル数の検出を行うと同時に並行して、選択した全てのフォルダについて、配下のフォルダを検出するようにしても良い。
【００２７】
配下フォルダファイル検出部１４においては、配下フォルダ検出部１３で配下にフォルダが存在することを検出したとき、その配下のフォルダに存在する、即ちその配下のフォルダ直下の再生可能ファイルを検出する。ここにおいても、少なくとも配下フォルダ直下に再生可能ファイルが存在するか否かを検出すれば足りるが、ここで再生可能ファイル数を検出しておき、以降において表示部に再生可能ファイル数を表示するとき、そのデータを利用することができる。また、配下フォルダファイル検出部１４においては、その配下に属するフォルダは、そのフォルダ以下の全ての階層について、存在するフォルダは全て再生可能ファイルの検出を行うこととなる。
【００２８】
フォルダ表示部１５においては、フォルダ選択部１１で選択したフォルダについて、フォルダ直下ファイル検出部１２で検出した結果に基づき、また、配下フォルダ検出部１３で検出した配下フォルダについての、配下フォルダファイル検出部１４での再生可能ファイルの検出結果に基づいて、通常方式表示部１６、表示方式変更部１７、非表示フォルダ選択部１８、表示位置調整部１９がそれぞれ作動して、最終的に例えば表示部２１に示すような、即ち図４に拡大して示すようなフォルダ表示を行う。
【００２９】
フォルダ表示部１５における通常方式表示部１６においては、フォルダ直下ファイル検出部１２でそのフォルダ直下に再生可能ファイルが存在することを検出したとき、予め設定した通常の表示を行う。それに対して、フォルダ直下ファイル検出部１２でそのフォルダ直下に再生可能ファイルが存在しないことを検出したときには、表示方式変更部１７で前記通常方式表示部１６で表示する方式とは異なる方式で表示を行い、このフォルダ直下には再生可能ファイルが存在しないことがわかるようにする。その時には各種の表示方式が考えられるが、特にこのフォルダについては利用者にとってあまり意味のないフォルダであるので、あまり目立たないように薄く表示することが好ましい。
【００３０】
非表示フォルダ選択部１８においては、フォルダ直下ファイル検出部１２でそのフォルダ直下に再生可能ファイルが存在しないことを検出し、それにより配下フォルダ検出部１３でそのフォルダの配下に存在するフォルダを検出して、更にここで検出した配下フォルダについて直下に再生可能ファイルが存在しないことを検出したとき、そのフォルダは非表示にする。したがって、一つのフォルダにおいて配下のフォルダに再生可能ファイルが存在しないことを検出したときには、その配下のフォルダについても全て表示されないこととなる。
【００３１】
表示位置調整部１９においては、前記のような非表示フォルダが存在するときには、その部分を順に詰めて表示する。また、非表示フォルダ選択部１８で非表示とされなかったフォルダについて、階層に対応した位置に、即ち表示部２１が横書きの表示部の時には、階層が下層程右側に位置するように調整して表示する。
【００３２】
前記のような機能ブロックからなるフォルダ表示処理部１０においては、例えば図２に示す作動フローにより順に作動させて実施することができる。即ち図２に示すフォルダリスト表示処理においては、最初表示フォルダを順に選択する（ステップＳ１）。この作動は図１のフォルダ選択部１１において、特に指示がない限り例えば図５の例においては一番最初の「ＲＯＯＴ」のフォルダから順に選択する。
【００３３】
次いで選択したフォルダ直下に再生可能ファイルは存在するか否かを判別する（ステップＳ２）。この作動は図１のフォルダ直下ファイル検出部１２において、そのフォルダ直下に存在する再生可能ファイルを検出するとき、再生可能ファイル数が零であることを検出したとき、このフォルダ直下には再生可能ファイルが存在しないと判別することとなる。ステップＳ２において、選択したフォルダ直下に再生可能ファイルが存在すると判別したときには、図２の例では選択したフォルダを通常表示する（ステップＳ６）。この作動は図１のフォルダ表示部１５における通常方式表示部１５において、フォルダ直下ファイル検出部１２で再生可能ファイルが存在することを検出したとき、通常の表示を行うことにより実施する。
【００３４】
それに対してステップＳ２において、表示したフォルダ直下に再生可能ファイルは存在しないと判別したときには、選択したフォルダ配下のフォルダに再生可能ファイルは存在するか否かの判別を行う。この時には選択したフォルダに属するこのフォルダ以下の階層のホルダは全てこの判別を行うこととなるが、この時は配下のフォルダの中で１つのフォルダに再生可能ファイルが検出されたとき、以降の検出作動は中止することができる。この作動は図１のフォルダ直下ファイル検出部１２で再生可能ファイルが存在しないことを検出したとき、配下フォルダ検出部１３が配下のフォルダを順に検出し、配下フォルダファイル検出部１２で再生可能ファイルを検出し、配下のフォルダについて全て再生可能ファイルが存在しないか否かを検出することにより行うことができる。
【００３５】
ステップＳ３において、選択したフォルダ配下のいずれかのフォルダに再生可能ファイルが存在すると判別したときには、この選択したフォルダの表示を前記ステップＳ６の通常表示とは異ならせて表示する（ステップＳ５）。その時には例えば通常表示よりは薄く表示する等によって、利用者がある程度注意しなければはっきり見ることができない程度に薄く表示することが好ましい。
【００３６】
それにより例えば車載オーディオ装置における小さな表示部においては、利用者にとって通常はあまり意味のない情報であるフォルダ構成を示すためのフォルダ表示について、本来楽曲を選択するフォルダを探すために表示しているフォルダのリストを、あまり必要のないフォルダの通常表示によって見にくくしてしまうことを防ぐことができる。この作動は、図１のフォルダ表示部１５の表示方式変更部１７において、フォルダ直下ファイル検出部１２で再生可能ファイルを検出しないとき、通常方式表示部１６とは異なる表示方式で表示することにより行う。
【００３７】
ステップＳ３において、選択したフォルダ配下のフォルダに再生可能ファイルが存在しないと判別したときには、今回選択したフォルダを非表示とする（ステップＳ４）。この処理は図１の配下フォルダ検出部１３により検出した、選択したフォルダ配下の全てのフォルダについて再生可能ファイルを検出しないとき、フォルダ表示部１５の非表示フォルダ選択部１８がこのフォルダを選択することにより実施することができる。その際にはこのフォルダの他、その配下のフォルダについても全て非表示フォルダとして選択されることとなる。
【００３８】
前記ステップＳ４、ステップＳ５、ステップＳ６でそれぞれの態様によって表示処理を行った後は、非表示のフォルダを順送りに詰めて表示し（ステップＳ７）、更に各フォルダについて、それぞれのフォルダの階層に対応した位置にそのフォルダを表示する（ステップＳ８）。即ち、ステップＳＳ４において非表示となったフォルダが存在するときにはその表示位置を空白とすることなく次の表示処理でステップＳ５、或いはステップＳ６により表示されることとなったフォルダがあるときには、その位置に順送りに詰めて表示を行う。また、この表示部が横書き表示であるとき、そのフォルダの階層に対応して右側にずらした所定の位置に表示を行う。
【００３９】
その後、表示部に表示する数のフォルダを全て選択したか否かを判別し（ステップＳ９）、未だ現在の表示部に表示する部分が存在するときには、表示部に表示する数のフォルダを未だ全てを選択してはいないと判別し、ステップＳ１に戻って前記作動を繰り返す。また、ステップＳ９で表示部に表示する数のフォルダを全て選択したと判別したとき、即ち、例えば表示部に６個のフォルダを表示することができるとき、表示するフォルダが順送りで６個となったときには表示部に表示する数のフォルダを全て選択したと判別し、この処理を終了する（ステップＳ１０）。
【００４０】
これらの処理は利用者がこの表示部に表示されているフォルダ以外のフォルダについてみたいと思ってスクロール操作を行う時、再びステップＳ１でスクロールにより表示されることとなる部分に対応したフォルダを順に選択して処理を行い、ステップＳ５及びステップＳ６で表示されることとなったフォルダをその位置に、前記所定の表示態様で表示する。
【００４１】
前記一連の処理の結果を図３に示す。即ち、図３（ａ）には前記図５のフォルダ構成における、前記図６（ａ）に図示す従来の表示方式での表示態様を示している。なお、「Ｆｏｌｄｅｒ  Ｆ」及び「Ｆｏｌｄｅｒ  Ｇ」については表示部に表示されることはないが、参考のために図示している。それに対して本発明においては第１に図３（ｂ）に示すように、前記図２のステップＳ４〜６による、フォルダ直下及び配下のフォルダの再生可能ファイルの存在に応じた表示と、ステップＳ７における非表示のフォルダを順送りに詰めて表示する。次に図３（ｃ）に示すように、これを図２のステップＳ９の作動によって階層順位に対応した位置に表示を行う。
【００４２】
これらの処理の結果、図３（ｄ）に示すような最終的な表示がなされる。この表示処理によって、従来は図６（ａ）のように表示され、或いは従来公知の技術からは同図（ｂ）のような階層表示しかなされないのに対して、本発明では図４に示すような表示がなされ、例えば車載オーディオ装置のように小さな表示部しか存在しない機器において、このような表示方式が採用されることにより、極めて見やすいフォルダの表示がなされる。したがって、データベースに記録されているファイルがオーディオ装置の再生可能ファイルであるとき、所望の再生可能ファイルを容易に探すことができるようになる。
【符号の説明】
【００４３】
１０  フォルダ表示処理部  
１１  フォルダ選択部
１２  フォルダ直下ファイル検出部
１３  配下フォルダ検出部
１４  配下フォルダファイル検出部
１５  フォルダ表示部
１６  通常方式表示部
１７  表示方式変更部
１８  非表示フォルダ選択部
１９  表示位置調整部
２０  データベース
２１  表示部
【図１】
0005522721.tif 000002
【図２】
0005522721.tif 000003
【図３】
0005522721.tif 000004
【図４】
0005522721.tif 000005
【図５】
0005522721.tif 000006
【図６】
0005522721.tif 000007